(57)【要約】【課題】  組み立て作業性がよく、指針本体の光源に電力を供給することが可能な指針式計器装置を供給する。【解決手段】  表示手段１と、表示手段１の裏面側に配設された駆動本体２と、駆動本体２の回転軸２６に装着され表示手段１を迂回するアーム部３を備えるとともにこのアーム部３に設けられる指針部５を備えた指針本体６と、指針本体６に配設され指針部５を発光させる第１の光源７と、を備えた指針式計器装置Ｍにおいて、熱によって電力を発生し、第１の光源７に電力を供給する熱電変換素子１０を指針本体６に設けたものである。【選択図】  図２
2010107426.tif 000002
【特許請求の範囲】
【請求項１】
表示手段と、前記表示手段の裏面側に配設された駆動本体と、前記駆動本体の回転軸に装着され前記表示手段を迂回するアーム部を備えるとともにこのアーム部に設けられる指針部を備えた指針本体と、前記指針本体に配設され前記指針部を発光させる第１の光源と、を備えた指針式計器装置において、熱によって電力を発生し、前記第１の光源に電力を供給する熱電変換素子を前記指針本体に設けたことを特徴とする指針式計器装置。
【請求項２】
前記熱電変換素子によって得られた電力を蓄える蓄電池を設けたことを特徴とする請求項１に記載の指針式計器装置。
【請求項３】
前記指針本体に前記第１の光源のスイッチング手段を設けたことを特徴とする請求項１に記載の指針式計器装置。
【請求項４】
前記スイッチング手段は、無線によって制御されることを特徴とする請求項３に記載の指針式計器装置。
【発明の詳細な説明】
【技術分野】
【０００１】
本発明は、文字板や液晶表示器などの表示手段の前方を回動する指針を備えた指針式計器装置に関する。
【背景技術】
【０００２】
従来の指針式計器装置は、文字板と、前記文字板の裏面側に配設された駆動本体と、前記駆動本体の回転軸に装着され前記文字板を迂回するアーム部を備えるとともにこのアーム部に設けられる指針部を備えた指針本体と、前記指針本体に配設され前記指針部を発光させる光源と、前記表示手段の背面側に配設され前記駆動本体を備えた回路基板と、一端が前記光源に接続され他端が前記回路基板に接続され前記光源へ通電する可撓性基板とを備えたものである。
【０００３】
この指針式計器装置の可撓性基板は、前記指針本体の回動に追従するために、前記駆動本体の回転軸に巻き付くように設けられており、その中間部に所定の弛みを備えたものであった。
【特許文献１】国際公開第２００６／５８２１号パンフレット
【発明の開示】
【発明が解決しようとする課題】
【０００４】
しかしながら、前記指針本体の光源に電力を供給するために、前記可撓性基板を前記指針本体と前記回路基板に接続するために、組み立て作業性が煩雑であるといった問題点があった。
【０００５】
そこで、本発明は前述した問題点に着目し、組み立て作業性がよく、指針本体の光源に電力を供給することが可能な指針式計器装置を供給することを目的とする。
【課題を解決するための手段】
【０００６】
本発明は、表示手段と、前記表示手段の裏面側に配設された駆動本体と、前記駆動本体の回転軸に装着され前記表示手段を迂回するアーム部を備えるとともにこのアーム部に設けられる指針部を備えた指針本体と、前記指針本体に配設され前記指針部を発光させる第１の光源と、を備えた指針式計器装置において、熱によって電力を発生し、前記第１の光源に電力を供給する熱電変換素子を前記指針本体に設けたものである。
【０００７】
また、本発明は、前記熱電変換素子によって得られた電力を蓄える蓄電池を設けたものである。
【０００８】
また、本発明は、前記指針本体に前記第１の光源のスイッチング手段を設けたものである。
【０００９】
また、本発明は、前記スイッチング手段は、無線によって制御されるものである。
【発明の効果】
【００１０】
本発明によれば、所期の目的を達成でき、組み立て作業性がよく、指針本体の光源に電力を供給することが可能な指針式計器装置を供給することができる。
【発明を実施するための最良の形態】
【００１１】
以下、本発明を採用した第１実施形態を添付図面に基づいて説明する。
【００１２】
本実施形態の指針式計器装置Ｍは、車両の速度を表示するものであり、表示手段１と、駆動本体２と、指針部５を備えた指針本体６と、この指針本体６に設けられるとともに指針部５を発光させる第１の光源７と、回路基板８と、この回路基板８に実装される第２の光源９と、指針本体６に設けられ熱電変換素子１０と、蓄電池１１と、スイッチング手段１２とを備えている。
【００１３】
なお、１３は、ハウジングであり、１３ａは、見返し部材であり、１４は、フレームである。
【００１４】
表示手段１は、表示器１５と、この表示器１５を収納する収納ケース１６と、この収納ケース１６の開口１６ａを覆う前面カバー１７とで構成されている。この表示手段１は、適宜手段によって、回路基板８に固定されている。
【００１５】
表示器１５は、車両に関する情報などを表示するものである。車両に関する情報としては、経路誘導、車両に関する警告表示、また車両の外気温などを表示するものである。
【００１６】
表示器１５は、上記の情報を表示するために、ドットマトリックスの液晶表示素子１８を用いたものである。なお、１９は、液晶表示素子１８を照明する液晶用光源であり、２０は、光源１９からの光を集光や拡散などを行う光学部材であり、２１は、液晶表示素子１８、光源１９および光学部材２０を収納するケースであり、２２は、ケース２１を覆うカバーである。カバー２２には、液晶表示素子１８が露出する窓２２ａが設けられている。ケース２１には、液晶用光源１９や図示しない回路基板に設けた電子部品が発する熱を放熱する放熱部材２３が設けられている。この放熱部材２３は、金属製で、放熱を良好に行うために、フィン２３ａを備えている。また、ケース２１には、支柱２４が設けられており、この支柱２４によって、表示器１５は収納ケース１６に固定されている。
【００１７】
収納ケース１６は、遮光性の合成樹脂からなり、カップ状をしている。また、この収納ケース１６には、第２の光源９からの光を取り入れる開口２５が設けられている。この開口２５は、複数設けられている。
【００１８】
前面カバー１７は、透明な合成樹脂からなり、表示器１５や収納ケース１６内部を視認することができる。前面カバー１７は、文字板の機能を果たすものであり、速度を表す文字からなる指標部４を備えている。この指標部４は、前面カバー１７の背面（図２中下側の面）に、微細な凹凸によって、形成されている。また、前面カバー１７の板面の周囲には、駆動本体２方向に垂れ下がるように形成された壁部２７を備えている。この壁部２７は、前面カバー１７を収納ケース１６に固定する役割を果たすとともに、第２の光源９からの光を取り入れる役割を果たすものでもある。前面カバー１７に設けた指標部４は、開口２５を通して収納ケース１６内に取り込んだ光と、前面カバー１７の壁部２７から取り込んだ光とによって照明される。
【００１９】
駆動本体２は、交差コイル式計器本体やステッピングモータなどの電動機で、回転する回転軸２６を備えており、指針本体６を回動させるものである。
【００２０】
指針本体６は、光を透過可能な合成樹脂からなる指針部５と、合成樹脂からなるアーム部３とで構成されている。
【００２１】
アーム部３は、Ｌの字形状をしており、一端に指針部５を保持するとともに、他端で、駆動本体２の回転軸２６に固定されるものである。
【００２２】
指針部５は、アーム部３に固定され、指標部４の文字や後述する目盛を指示するものである。
【００２３】
第１の光源７は、発光ダイオードからなり、指針部５に光を供給して発光させるものである。この第１の光源７は、アーム部３に固定されている。
【００２４】
回路基板８は、表示手段１の背面側（図２中下側）に配設されている。この回路基板８は、ガラスエポキシ樹脂などからなる硬質の絶縁材料からなる基板である。この回路基板８には、表示手段１、駆動本体２、第２の光源９およびフレーム１４が固定されている。そして、回路基板８の表面には、図示しない導体を備えており、この導体を介して、表示手段１の表示器１５、駆動本体２および第２の光源９に電力を供給するものである。
【００２５】
第２の光源９は、発光ダイオードからなり、表示手段１の表示器１５の周囲、収納ケース１６内、指標部４を照明するものである。
【００２６】
熱電変換素子１０は、２種類の異なる金属または半導体を接合して、両端に温度差を生じさせると起電力が生じるゼーベック効果を利用した素子である。また、アーム部３には、熱電変換素子１０に放熱部材２３からの熱を吸収し伝える金属からなる吸熱部１０ａが設けられている。吸熱部１０ａには、放熱部材２３からの熱を吸収するようにフィン１０ｂが設けられている。熱電変換素子１０は、表示手段１から発せられた熱を電力に変化し、第１の光源７へ電力を供給する。なお、熱電変換素子１０と吸熱部１０ａとのアーム部３への配設は、インサート成形などの適宜手段による。
【００２７】
蓄電池１１と、熱電変換素子１０によって得られた電力を蓄え、必要時に第１の光源７に電力を供給するものであり、アーム部３に固定されている。
【００２８】
スイッチング手段１２は、第１の光源７への電力の供給を制御するために、第１の光源７、熱電変換素子１０及び蓄電池１１からなる電気回路を開閉するものである。このスイッチング手段１２は、無線によって制御されるものであり、回路基板８に設けた電子部品２８で無線によって制御される。以上の構成によって、指針式計器装置Ｍに電力が供給されたときに、電子部品２８で制御されるスイッチング手段７を介して、第１の光源７への電力の供給を制御でき、指針式計器装置Ｍの非通電時に第１の光源７への電力の供給を絶ち、第１の光源７を消灯させることができる。
【００２９】
ハウジング１３は、遮光性の合成樹脂からなり、表示手段１、駆動本体２、指針本体６および回路基板８などの指針式計器装置Ｍの構成部品を収納するものである。
【００３０】
見返し部材１３ａは、遮光性の合成樹脂からなり、ハウジング１３の開口１３ｂに設けられるものである。この見返し部材１３ａには、指標部を構成する目盛２９が一体形成されている。この目盛２９は、前面カバー１７に設けた指標部４とともに車両の速度を表すものである。
【００３１】
フレーム１４は、白色の合成樹脂からなり、第２の光源９からの光を効率よく表示手段１に反射する反射体である。このフレーム１４は、第２の光源９からの光が回転軸２６を中心に外側へ放射するように反射する第１の反射体１４ａと、この第１の反射体１４ａで反射した光を表示手段１側へ反射する第２の反射体１４ｂとで構成されている。
【００３２】
以上のように構成したことによって、従来のように、指針本体に設けた光源と回路基板とを可撓性基板によって接続することがなくなり、組み立て作業性が改善され、指針本体６の第１の光源７に電力を供給することが可能な指針式計器装置Ｍを供給することができる。
【００３３】
また、表示手段１から発せられる熱を回収し、電力に変換することによって電力を節約するという効果もある。
【００３４】
また、表示手段１からの熱を回収することによって、表示手段１が高温になり過ぎることを防ぎ、表示手段１の信頼性を高めるという効果もある。
【００３５】
また、蓄電池１１を設けたことによって、熱電変換素子１０の電気変換効率が低い作動環境の場合でも安定した電力を第１の光源７へ供給することができる。さらに、熱電変換素子１０が必要以上の電力を変換しても、蓄電しておいて必要な時に電力を供給し、効率良く指針部５を発光させることができる。
【００３６】
なお、本実施形態では、熱電変換素子１０は、表示手段１から発する熱を電力に変換したが、本実施形態に限定されるものではなく、例えば、回路基板８上に設けた発熱する電子部品で発生した熱を利用しても良い。
【図面の簡単な説明】
【００３７】
【図１】本発明の第１実施形態の指針式計器装置の正面図。
【図２】図１中Ａ−Ａ線の断面図。
【符号の説明】
【００３８】
Ｍ      指針式計器装置
１      表示手段
２      駆動本体
３      アーム部
５      指針部
６      指針本体
７      第１の光源
１０      熱電変換素子
１０ａ    吸熱部
１１      蓄電池
１２      スイッチング手段
２６      回転軸
【図１】
2010107426.tif 000003
【図２】
2010107426.tif 000004